(57)【要約】【課題】従来のアクチュエータを備えるコネクタのコンタクトと同様に、コンタクトが接触アーム及び押さえアームの基端部を支持する基部を具備していながら、高速伝送及び良好なインピーダンス整合機能の発揮が可能なコネクタを提供する。【解決手段】少なくとも一つのコンタクトの基部４１に、基部をその板厚方向に貫通する貫通穴４１ａを形成した。【選択図】図５
2008226524.tif 000002
【特許請求の範囲】
【請求項１】
絶縁材料からなるインシュレータと、
接続対象物の表面と裏面の一方と電気的に導通可能な接触アーム、及び該接触アームの基端部を支持する基部を有し、上記インシュレータに一方向に並ぶように固定された複数のコンタクトと、
上記接続対象物の表面と裏面の他方を押圧するアクチュエータと、
上記複数のコンタクトの少なくとも一つに設けた、上記基部から上記接触アームと略平行に延出し、上記アクチュエータを上記接続対象物側に押圧する押さえアームと、を備え、
少なくとも一つのコンタクトの上記基部に、該基部をその板厚方向に貫通する貫通穴または切欠を形成したことを特徴とするコネクタ。
【請求項２】
請求項１記載のコネクタにおいて、
上記複数のコンタクトの中の信号を流すためのコンタクトに上記貫通穴または切欠が形成したコネクタ。
【請求項３】
請求項１または２記載のコネクタにおいて、
上記アクチュエータが回転式アクチュエータであり、
該回転式アクチュエータは被挟持部を備え、上記押圧アームによって上方から押さえられた該被挟持部回りに回転可能であるコネクタ。
【請求項４】
請求項１から３のいずれか１項記載のコネクタにおいて、
上記コンタクトが、
複数のグランドコンタクトと、
隣り合う上記グランドコンタクトの間に位置する態様で上記インシュレータに固定された複数のシグナルコンタクトと、を備えるコネクタ。
【請求項５】
請求項４記載のコネクタにおいて、
上記グランドコンタクトとシグナルコンタクトのうちグランドコンタクトのみが、上記アクチュエータを上記接続対象物側に押圧する押さえアームを具備するコネクタ。
【請求項６】
請求項４または５記載のコネクタにおいて、
隣り合う上記グランドコンタクトの間に一対の上記シグナルコンタクトが位置しているコネクタ。
【請求項７】
請求項４から６のいずれか１項載のコネクタにおいて、
上記シグナルコンタクトとグランドコンタクトが、上記一方向に交互に並んでいるコネクタ。
【請求項８】
請求項１または２記載のコネクタにおいて、
上記複数のコンタクトを、上記押さえアームを具備する同一種類のコンタクトから構成したコネクタ。
【発明の詳細な説明】
【技術分野】
【０００１】
本発明は、基板とフレキシブルプリント基板（ＦＰＣ）等の接続対象物を電気的に導通させるためのコネクタに関する。
【背景技術】
【０００２】
特許文献１に開示されたＦＰＣ用コネクタは、前面に開口部を備える絶縁材料製のインシュレータと、インシュレータの開口部内に並べて固定された複数のチューニングフォーク型のコンタクト（導電端子１２）と、その下端部がインシュレータに回転可能に支持されたアクチュエータ１３と、を備えている。
コネクタのコンタクト１２はすべて同一仕様（同一種類）であり、ＦＰＣの下面に形成された導通部と接触するアーム部であるコンタクト部１２ｂと、コンタクト部１２ｂの直上に位置するアーム部である弾性支持部１２ｄ（押さえアーム）と、コンタクト部１２ｂ及び弾性支持部１２ｄの基端部を支持する基部（符号なし）と、を具備している。
アクチュエータ１３は、その下端面がインシュレータの底面（接触表面１１ｃ）に支持され、かつその下端部に設けた回動軸１３ａの上面が弾性支持部１２ｄの先端下面に形成した凹部に係合することにより、インシュレータに対して回転可能となっている。
【０００３】
このコネクタでは、ＦＰＣをインシュレータの開口部から各コンタクト１２の弾性支持部１２ｄとコンタクト部１２ｂの間に挿入しても、アクチュエータが開位置に位置するときはＦＰＣの下面の導通部とコンタクト部１２ｂの接触状態が不確実なので、各コンタクト部１２ｂとＦＰＣは電気的に導通しない。しかし、アクチュエータを閉位置まで回転させると、アクチュエータによってＦＰＣが下方に押圧されるので、ＦＰＣの下面の導通部と各コンタクト部１２ｂが確実に接触して互いに電気的に導通する。
【特許文献１】特開２００６−３１０１９４号公報
【発明の開示】
【発明が解決しようとする課題】
【０００４】
近年、コネクタに対する高速伝送化の要求が高くなっている。さらに、コネクタには実装する機器（基板）と挿入するＦＰＣの間に生じるインピーダンスの不整合を抑制（整合）する機能が求められる。
高速伝送化を実現するためにはキャパシタンス成分を低減する必要があり、さらに、インピーダンス整合機能を良好に発揮するためにも、クロストークの要因となるキャパシタンス成分を低減する必要がある。そのため、コンタクトの構成要素の中で面積が大きくキャパシタンス成分を増大させる素因となる基部をコンタクトから無くせれば理想的である。
しかし、基部は、コンタクト部１２ｂ及び弾性支持部１２ｄ（の基端部）を支持し、また弾性支持部１２ｄが弾性変形した際に生じる応力を受け分散するために必要な部分なので、基部をコンタクトから無くすわけにはいかない。
【０００５】
本発明の目的は、コンタクトが接触アーム及び押さえアームの基端部を支持する基部を具備していながら、高速伝送及び良好なインピーダンス整合機能の発揮が可能なコネクタを提供することにある。
【課題を解決するための手段】
【０００６】
本発明のコネクタは、絶縁材料からなるインシュレータと、接続対象物の表面と裏面の一方と電気的に導通可能な接触アーム、及び該接触アームの基端部を支持する基部を有し、上記インシュレータに一方向に並ぶように固定された複数のコンタクトと、上記接続対象物の表面と裏面の他方を押圧するアクチュエータと、上記複数のコンタクトの少なくとも一つに設けた、上記基部から上記接触アームと略平行に突出し、上記アクチュエータを上記接続対象物側に押圧する押さえアームと、を備え、少なくとも一つのコンタクトの上記基部に、該基部をその板厚方向に貫通する貫通穴または切欠を形成したことを特徴としている。
【０００７】
上記複数のコンタクトの中の信号を流すためのコンタクトに上記貫通穴または切欠が形成してもよい。
【０００８】
上記アクチュエータが回転式アクチュエータであり、該回転式アクチュエータは被挟持部を備え、上記押圧アームによって上方から押さえられた該被挟持部回りに回転可能であるのが好ましい。
【０００９】
上記コンタクトを、複数のグランドコンタクトと、隣り合う上記グランドコンタクトの間に位置する態様で上記インシュレータに固定された複数のシグナルコンタクトと、から構成することが可能である。
【００１０】
コンタクトをグランドコンタクトとシグナルコンタクトで構成する場合は、上記グランドコンタクトとシグナルコンタクトのうちグランドコンタクトのみが、上記アクチュエータを上記接続対象物側に押圧する押さえアームを具備するのが好ましい。
【００１１】
さらに、隣り合う上記グランドコンタクトの間に一対の上記シグナルコンタクトが位置していてもよい。
【００１２】
また、上記シグナルコンタクトとグランドコンタクトが、上記一方向に交互に並んでいてもよい。
【００１３】
また、上記複数のコンタクトを、上記押さえアームを具備する同一種類のコンタクトから構成してもよい。
【発明の効果】
【００１４】
本発明によると、アクチュエータ及び押さえアームを具備するので、低背化・小型化されたコネクタにおいても接続対象物側の容易な挿脱・ロック操作等の作業性が良好であり、しかも、コンタクトの基部に、基部をその板厚方向に貫通する貫通穴または切欠を形成したので、隣り合うコンタクトの基部どうしの対向面積が減少し、コンタクトのキャパシタンス成分が低減される。
従って、各コンタクトを２種類のコンタクトで構成する場合（請求項３）と一種類のコンタクトで構成する場合（請求項８）のいずれの場合においても、基部に貫通穴や切欠を形成していない従来のコンタクトを具備するコネクタに比べて良好なインピーダンス整合機能を発揮でき、しかも高速伝送を実現できる。さらに、信号を流すためのコンタクトに貫通穴または切欠を形成する場合（請求項２）においても同様の効果が得られる。
また、貫通穴や切り欠きの大きさや位置等の簡便な変更により、信号の周波数やコンタクト間の距離等の様々な要因により変化してしまうインピーダンスの調整や整合の最適化が容易となる。
【００１５】
請求項３記載の発明によると、アクチュエータが回転式の場合に、コンタクトの押さえアームが被挟持部を上方から押さえるので、アクチュエータの安定した回転を実現できる。
【００１６】
請求項５記載の発明によると、シグナルコンタクトは接触アームのみ具備し押さえアームは具備しないので、グランドコンタクトのみならずシグナルコンタクトも押さえアームを具備する場合に比べて、キャパシタンス成分やインダクタンス成分を低減できる。従って、より良好なインピーダンス整合機能を発揮でき、伝送速度をより高速にすることができる。
また、シグナルコンタクトが押さえアームに相当するアームを具備する場合は、このアームによってノイズや誘導等の外乱の影響を受けることがある。しかし、本発明のシグナルコンタクトはこのようなアームを具備しないので外乱の影響を受けにくい。
さらに、グランドコンタクトは接触アームのみならず押さえアームも具備しており、各グランドコンタクトの押さえアームがアクチュエータを接続対象物側に押さえるので、グランドコンタクトによりアクチュエータの動作を安定させることが可能である。
【００１７】
請求項６または７記載の発明によると、シングルエンド伝送や差動伝送などの伝送方式に対してシグナルコンタクトの配置の自由度を向上させることができる。
【発明を実施するための最良の形態】
【００１８】
以下、図１から図１５を参照しながら本発明の第１の実施形態について説明する。なお、以下の説明中の前後の方向は、図１、図１２から図１５に記載した矢印の方向を基準としている。
本実施形態のコネクタ１０は差動伝送用のコネクタであり、大きな構成要素としてインシュレータ２０、グランドコンタクト４０、シグナルコンタクト５０、アクチュエータ（回転式アクチュエータ）６０及びシェル７０を具備している。
インシュレータ２０は絶縁性かつ耐熱性の合成樹脂料を射出成形することにより得られたものである。
図４、図１２から図１５等に示すように、インシュレータ２０は、左右方向に延びる底板部２１と、底板部２１の左右両端部から上方に延びる左側壁部２２及び右側壁部２３と、左側壁部２２及び右側壁部２３の後半部の上端部を接続する天井部２４とを備えている。
底板部２１の前端部には前下方に向かって傾斜する傾斜部２６が形成してある。さらに底板部２１の上面には、傾斜部２６の後端部から底板部２１の後端まで前後方向に直線的に延びる２種類の溝（底部保持溝２７と底部保持溝２８）が等ピッチ間隔で計２４本凹設してある。さらに、底板部２１における隣り合う底部保持溝２７、底部保持溝２８の間に位置する部分の後端部と天井部２４との間は複数の垂直隔壁３０によって接続されており、隣り合う底部保持溝２７、底部保持溝２８の後端部間は各垂直隔壁３０によって仕切られている。さらに、図１３及び図１５に示すように、天井部２４の下面の底部保持溝２８の後端部と対向する部分には、その下端が底部保持溝２８から上方に離間した位置で終端する保持用突部３１が垂設してあり、各保持用突部３１の後面には前方に向かって延びる上部保持溝３２が凹設してある。
さらに、インシュレータ２０の前端面の左側壁部２２と右側壁部２３の内側には、後方に向かって延びる嵌合穴が左右一対として穿設してあり、左右の嵌合穴に一対の金具３７の嵌合片３８がそれぞれ嵌合している。嵌合片３８の上面の前端部は水平な支持平面３９を構成している。
【００１９】
図４、図５、図１２から図１５等に示すように、各垂直隔壁３０によって仕切られたインシュレータ２０内の空間にはそれぞれ、共に金属材料（導電材料）からなる１２個のグランドコンタクト４０と１２個のシグナルコンタクト５０がインシュレータ２０の後端から挿入してある。
インシュレータ２０内部の各底部保持溝２７と対応する空間に挿入されるコンタクトであるグランドコンタクト４０はその後端部をなす基部４１と、共に基部４１から前方に延びる押さえアーム４２及び接触アーム４６と、基部４１の後端下部に突設され実装基板８０（図１２参照）と電気的に導通する鉤状導通部４９と、を備えており、その板厚はシグナルコンタクト５０より厚い。さらに基部４１には、上下方向に延びる貫通長穴４１ａが基部４１を板厚方向に貫通する態様で穿設してある。押さえアーム４２の下面の前端部には係合凹部４３が凹設してある。さらに、押さえアーム４２の上面の基端部近傍と基部４１の上面には、共に天井部２４の下面に当接する突部４４と突部４５がそれぞれ突設してある。接触アーム４６の下面の後半部は底部保持溝２７の扁平な底面と面接触する接触平面４７を構成しており、接触アーム４６の下面の前半部は底部保持溝２７の底面から離間している。さらに、接触アーム４６の前端部にはＦＰＣ８５の下面に形成された導通部と接触可能な接触凸部４８が突設してある。
【００２０】
インシュレータ２０内部の各底部保持溝２８と対応する空間に挿入されるコンタクトであるシグナルコンタクト５０は図１及び図２等に示すように、一対のシグナルコンタクト５０が一組として左右に位置するグランドコンタクト４０の間に位置している。
シグナルコンタクト５０はその後端部をなす基部５１と、共に基部５１から前方に延びる接触アーム５２及び係止突部５５と、基部５１の後端下部に突設され実装基板８０と電気的に導通する（図１３参照）鉤状導通部５９と、を備えている。接触アーム５２の下面の後半部は底部保持溝２８の扁平な底面と接触する接触平面５３を構成しており、接触アーム５２の下面の前半部は底部保持溝２８の底面から離間している。さらに、接触アーム５２の前端部にはＦＰＣ８５の下面に形成された導通部と接触可能な接触凸部５４が突設してある。図示するように係止突部５５は各保持用突部３１の上部保持溝３２に嵌合される部分であり、係止突部５５と基部５１の上面に突設された突部５６と突部５７が天井部２４の下面に当接している。また、基部５１には基部５１を板厚方向に貫通する貫通円形穴５８が穿設してある。さらに、接触アーム５２はグランドコンタクト４０の接触アーム４６と同じ高さに位置しており、かつ接触凸部４８と接触凸部５４の前後方向位置は一致している。
【００２１】
アクチュエータ６０は耐熱性の合成樹脂材料を射出成形して得られたものであり、左右方向に延びる操作部６１と、左右に並んだ状態で操作部６１の下面から下方に延びる複数のカム部６２と、隣り合うカム部６２の側面同士を接続する被押圧部６３と、アクチュエータ６０の下端部の左右の側面に突設した支持軸６４と、を有している。被押圧部６３及び支持軸６４は被挟持部の構成要素であり、左右の支持軸６４及び各被押圧部６３は同一直線状に位置している。また、操作部６１と隣り合う２つのカム部６２と被押圧部６３との間には、対応するグランドコンタクト４０の押さえアーム４２が貫通する貫通穴６５が形成してある。さらに、各カム部６２の前面は扁平な押圧面６６を構成し、各カム部６２の押圧面６６に連続する下端角部はカム面６７を構成している。また、図１２から図１５に示すように支持軸６４の下端面は扁平な開位置保持面６８となっている。
図１２に示すように、アクチュエータ６０の左右の支持軸６４の下端部が左右の金具３７の支持平面３９に当接しており、さらに対応する貫通穴６５を貫通する各押さえアーム４２の係合凹部４３が被押圧部６３に上方から係合しているので、アクチュエータ６０はその下端部を中心に図１２及び図１３に示す開位置と、図１４及び図１５に示す閉位置の間を回転可能である。図１２及び図１３に示すように、アクチュエータ６０が開位置に位置すると支持軸６４の開位置保持面６８が支持部３４の支持平面３９と面接触するので、外力が掛からない限りアクチュエータ６０はこの開位置に保持される。
【００２２】
インシュレータ２０の後半部を覆うシェル７０は金属製であり、平板状の上面部７１と、上面部７１の左右両端部から下向きに突出する一対の接続片７２と、上面部７１の後縁部から垂下する後部壁７３と、上面部７１の後縁部における後部壁７３の左右両側から下方に延びる側面視略Ｌ字形の接続部７４と、を備えている。
このシェル７０は、左右の接続片７２をインシュレータ２０の上面に凹設した左右一対の取付穴２５にそれぞれ嵌合することによりインシュレータ２０の後半部に装着される。シェル７０をインシュレータ２０に装着すると、上面部７１がインシュレータ２０の天井部２４を覆い、後部壁７３が各グランドコンタクト４０及びシグナルコンタクト５０の後端（インシュレータ２０の後端面）を覆い、かつ左右の接続部７４が実装基板８０の上面に接続する（半田付けされる）。
【００２３】
以上構成のコネクタ１０は、図１２及び図１３に示すようにアクチュエータ６０が開位置にある状態でインシュレータ２０の前方からインシュレータ２０の内部にＦＰＣ８５を挿入すると、ＦＰＣ８５がグランドコンタクト４０の押さえアーム４２と接触アーム４６の間及びシグナルコンタクト５０の接触アーム５２の上方に位置する。
この状態から図１４及び図１５に示すようにアクチュエータ６０を閉位置側に回転させると、アクチュエータ６０が閉位置に達するまでの過程でアクチュエータ６０のカム面６７がＦＰＣ８５を下方に押圧し、アクチュエータ６０が閉位置に達するとアクチュエータ６０の押圧面６６がＦＰＣ８５の上面に圧接してＦＰＣ８５を下方に押圧する。従って、ＦＰＣ８５の下面に形成した導通部（図示略）と各グランドコンタクト４０の接触凸部４８及びシグナルコンタクト５０の接触凸部５４が確実に接触し、グランドコンタクト４０及びシグナルコンタクト５０がＦＰＣ８５と電気的に導通する。また、アクチュエータ６０の押圧面６６がＦＰＣ８５の上面と面接触するので、アクチュエータ６０が閉位置に移動すると、外力が掛からない限りアクチュエータ６０はこの閉位置に保持される。
【００２４】
以上説明した本実施形態のコネクタ１０は、各グランドコンタクト４０の基部４１に貫通長穴４１ａが穿設してあり、かつ各シグナルコンタクト５０の基部５１に貫通円形穴５８が穿設してあるため、各グランドコンタクト４０及び各シグナルコンタクト５０に貫通長穴４１ａと貫通円形穴５８を穿設しない場合に比べて、隣り合うコンタクトの基部４１、基部５１どうしの対向面積が減少する。従って、本実施形態の各グランドコンタクト４０及び各シグナルコンタクト５０は従来に比べてキャパシタンス成分が低減されている。
さらに、各グランドコンタクト４０がアクチュエータ６０の被押圧部６３を上方から押さえる押さえアーム４２を具備するものの、各シグナルコンタクト５０は押さえアーム４２に相当するアームを具備しない。そのため、本実施形態のシグナルコンタクト５０は押さえアーム４２に相当するアームを具備する場合に比べてキャパシタンス成分が大幅に低減されている。
このように本実施形態のコネクタ１０は、従来技術に比べてクロストークの発生要因であるキャパシタンス成分が低減されているので、良好なインピーダンス整合機能を発揮可能である。さらにキャパシタンス成分が低減されているので、信号の高速伝送が可能である。
【００２５】
また、シグナルコンタクト５０には押さえアーム４２に相当するアームがないので、シグナルコンタクト５０はノイズや誘導等の外乱の影響を受け難い。
さらに、本実施形態のシグナルコンタクト５０は押さえアーム４２に相当するアームを具備する場合に比べてインダクタンス成分も大幅に低減されている。インダクタンス成分もインピーダンス整合機能を低下させる一因であるため、本実施形態のコネクタ１０はこの点においても従来に比べて良好なインピーダンス整合機能を発揮可能と言える。
【００２６】
さらに、各グランドコンタクト４０の押さえアーム４２がアクチュエータ６０の対応する被押圧部６３を上方から下方に押さえるので、アクチュエータ６０を安定した状態で回転させることが可能である。
しかも、グランドコンタクト４０はシグナルコンタクト５０に比べて板厚（左右方向の厚み）が大きいので、その機械的強度はシグナルコンタクト５０より大きい。従って、グランドコンタクト４０（押さえアーム４２）のみが被押圧部６３を押さえシグナルコンタクト５０は被押圧部６３を押さえない構造であるものの、アクチュエータ６０の安定した回転状態が保証される。
また、このようにグランドコンタクト４０の板厚をシグナルコンタクト５０より厚くすると、等ピッチで並んでいるグランドコンタクト４０とシグナルコンタクト５０の対向面距離が短くなるので、インピーダンス整合機能がさらに良好となる。
また、各グランドコンタクト４０の基部４１及びシグナルコンタクト５０の基部５１がシェル７０によって覆われているので、コネクタ１０の遮蔽特性（ＥＭＩ特性）は良好である。
【００２７】
次に本発明の第２の実施形態について、図１６から図２０を参照しながら説明する。なお、第１の実施形態と同じ部材には同じ符号を付すに止めて、その詳細な説明は省略する。
本実施形態のコネクタ９０の基本構造はコネクタ１０と同じであるが、総てのコンタクトを一種類のコンタクト９１で構成した点が異なる。このコンタクト９１の外形はグランドコンタクト４０と同じであり、グランドコンタクト４０と同様に、基部４１、押さえアーム４２、係合凹部４３、突部４４、突部４５、接触アーム４６、接触平面４７、接触凸部４８、及び鉤状導通部４９を具備している。ただし、その基部４１には貫通円形穴９２が穿設してある。
さらに、総てのコンタクトを一種類のコンタクト９１で構成してあるので、インシュレータ２０の底板部２１に凹設された底部保持溝９３は一種類のみであり（図１７参照。数は第１の実施形態と同様に２４本）、かつインシュレータ２０は保持用突部３１を具備していない。
【００２８】
このような構成の第２の実施形態では、各コンタクト９１の基部４１に貫通円形穴９２を穿設してあるので、貫通円形穴９２がない場合に比べてそのキャパシタンス成分が低減されている。
従って、第１の実施形態のコネクタ１０と同様に、良好なインピーダンス整合機能を発揮でき、しかも信号を高速で伝送することが可能である。
【００２９】
以上、本発明を第１及び第２の実施形態に基づいて説明したが、本発明はこれらの実施形態に限定されるものではなく、様々な変形を施しながら実施可能である。
例えば、第１の実施形態では、左右のグランドコンタクト４０の間に位置する一対のシグナルコンタクト５０で差動伝送を行っているが、各シグナルコンタクト５０をシングルエンド伝送用のコンタクトとして利用してもよい。また、左右のグランドコンタクト４０の間に位置するシグナルコンタクト５０を１本としたり、グランドコンタクト４０とシグナルコンタクト５０を左右方向に交互に並べてもよい。
さらに、シグナルコンタクト５０から係止突部５５を省略して実施することも可能である。
さらに、グランドコンタクト４０とシグナルコンタクト５０のピッチがさらに狭くなった場合は、グランドコンタクト４０とシグナルコンタクト５０の板厚を同じ厚さにして実施してもよい。
さらに、アクチュエータ６０の貫通穴６５はグランドコンタクト４０（押さえアーム４２）と対応する部分のみならずシグナルコンタクト５０と対応する位置にも設けてあるが、シグナルコンタクト５０と対応する位置の貫通穴６５は不要なので、この部分を埋めてしまってもよい。このようにすれば、アクチュエータ６０の強度を向上させることが可能である。
また、グランドコンタクト４０の鉤状導通部４９をシェル７０（例えば後部壁７３）に接地させてもよい。
【００３０】
さらに、第１の実施形態において、グランドコンタクト４０とシグナルコンタクト５０の一方をインシュレータ２０の前方からインシュレータ２０内に挿入し他方をインシュレータ２０の後方からインシュレータ２０内に挿入したり、グランドコンタクト４０の接触凸部４８とシグナルコンタクト５０の接触凸部５４の前後方向位置をずらしてもよい。
同様に、第２の実施形態において半数のコンタクト９１をインシュレータ２０の前方からインシュレータ２０内に挿入し、残りのコンタクト９１をインシュレータ２０の後方からインシュレータ２０内に挿入してもよい。
【００３１】
さらに、第１の実施形態及び第２の実施形態の基部４１と基部５１に穿設した貫通穴（貫通長穴４１ａ、貫通円形穴５８）の形状は図示したものには限定されず、他の形状であってもよい。また、貫通穴とせずに、その一部が基部４１または基部５１の前面、後面、上面または下面において開口する（基部４１または基部５１をその板厚方向に貫通する）切欠（凹部）として実施してもよい。
さらに、第１の実施形態のグランドコンタクト４０に貫通長穴４１ａを形成せずに実施してもよい。
また、第２の実施形態の総てのコンタクト９１を信号送信用のコンタクトとして使用してもよいが、一部のコンタクト９１をグランド用コンタクトとして使用し、このグランド用コンタクトに貫通円形穴９２（または切欠）を形成せずに実施してもよい。
また、第１の実施形態及び第２の実施形態において、アクチュエータ６０に、貫通穴６５の代わりに押さえアーム４２の先端部が遊嵌する凹部を形成してもよい（ただし、凹部はアクチュエータ６０が開位置から閉位置まで回転可能となる深さである必要がある）。
【００３２】
さらに、図２１から図２３に示すように、アクチュエータを回転式ではなくスライド式としてもよい。
図２１及び図２２は第１の実施形態のコネクタ１０のアクチュエータをスライド式のものに変更した例である。
このコネクタ１００（インシュレータ２０、垂直隔壁３０、保持用突部３１等の形状がコネクタ１０のものとは若干異なるが機能は同じである。また、押さえアーム４２は係合凹部４３を具備せず、その下面は平面である）は、アクチュエータ６０を省略した代わりに、前方からインシュレータ２０内に挿脱可能なアクチュエータ１１０を具備している。このアクチュエータ１１０は、グランドコンタクト４０の押さえアーム４２と接触アーム４６の間に挿入可能な押圧部１１１を有している。
図示するように、ＦＰＣ８５の後部がグランドコンタクト４０の押さえアーム４２と接触アーム４６の間に位置しかつシグナルコンタクト５０の接触アーム５２の上方に位置する状態で、前方からインシュレータ２０内にアクチュエータ１１０の押圧部１１１を挿入すると、押圧部１１１が押さえアーム４２の下面及びＦＰＣ８５の上面に圧接するので、ＦＰＣ８５が下方に押圧される。従って、グランドコンタクト４０の接触凸部４８及びシグナルコンタクト５０の接触凸部５４がＦＰＣ８５の下面の導通部（図示略）と確実に導通する。
図２３は第２の実施形態のコネクタ９０のアクチュエータをスライド式のものに変更した例である。
このコネクタ２００（基本構造はコネクタ１００と同じであるが、保持用突部３１を具備せず、底部保持溝２７及び底部保持溝２８の代わりに底部保持溝９３を具備している）のインシュレータ２０内にアクチュエータ１１０の押圧部１１１を挿入すると、押圧部１１１が押さえアーム４２の下面及びＦＰＣ８５の上面に圧接するので、コンタクト９１の接触凸部４８がＦＰＣ８５の下面の導通部と確実に導通する。
このようなスライド式のアクチュエータ１１０を採用した変形例においても、第１及び第２の実施形態と同様の効果が得られる。
【００３３】
さらに図示は省略してあるが、回転式のアクチュエータ６０とスライド式のアクチュエータ１１０のいずれを採用する場合であっても、グランドコンタクト４０やシグナルコンタクト５０やコンタクト９１がＦＰＣ８５の上面と接触（電気的に導通）する上接点構造のコネクタとして本発明を実施可能である。
また、第１及び第２の実施形態においても、少なくとも一つのコンタクト４０、５０、９１に貫通穴または切欠（凹部）を形成すればキャパシタンス成分を低減できるので、上記実施形態及び変形例のように総てのコンタクト４０、５０、９１に貫通穴または切欠を穿設する必要はない。
さらに、上記実施形態及び変形例では各コンタクト４０、５０、９１に形成する貫通穴（切欠）の形状や大きさや位置は同じとしているが、インピーダンスの整合を容易にするために、各コンタクトごとに貫通穴（切欠）の形状や大きさあるいは位置を変えてもよい。
【００３４】
また、接続対象物はＦＰＣ以外のもの、例えばフレキシブルフラットケーブル（ＦＦＣ）であってもよい。
【図面の簡単な説明】
【００３５】
【図１】アクチュエータが閉位置にあるときに、本発明の一実施形態のコネクタを前方から見た斜視図である。
【図２】アクチュエータが開位置にあるときにコネクタを前方から見た斜視図である。
【図３】アクチュエータが開位置にあるときにコネクタを後方から見た斜視図である。
【図４】コネクタの前方から見た分解斜視図である。
【図５】コネクタの後方から見た分解斜視図である。
【図６】グランドコンタクト単品の前方から見た斜視図である。
【図７】シグナルコンタクト単品の前方から見た斜視図である。
【図８】アクチュエータが開位置にあるときのコネクタの正面図である。
【図９】アクチュエータが開位置にあるときのコネクタの平面図である。
【図１０】アクチュエータが閉位置にあるときのコネクタの正面図である。
【図１１】アクチュエータが閉位置にあるときのコネクタの平面図である。
【図１２】図８のXII−XII矢線に沿う断面図である。
【図１３】図８のXIII−XIII矢線に沿う断面図である。
【図１４】図１０のXIV−XIV矢線に沿う断面図である。
【図１５】図１０のXV−XV矢線に沿う断面図である。
【図１６】アクチュエータが閉位置にあるときに第２の実施形態のコネクタを前方から見た斜視図である。
【図１７】アクチュエータが開位置にあるときにコネクタを前方から見た斜視図である。
【図１８】コネクタの後方から見た分解斜視図である。
【図１９】コンタクトの側面図である。
【図２０】図１２と同様の断面図である。
【図２１】第１の実施形態の変形例のコネクタの図８の矢線XII−XIIと同じ位置で切った断面図である。
【図２２】第１の実施形態の変形例のコネクタの図８の矢線XIII−XIIIと同じ位置で切った断面図である。
【図２３】第２の実施形態の変形例の図２１と同様の断面図である。
【符号の説明】
【００３６】
１０    コネクタ
２０    インシュレータ
２１    底板部
２２    左側壁部
２３    右側壁部
２４    天井部
２５    取付穴
２６    傾斜部
２７    底部保持溝
２８    底部保持溝
３０    垂直隔壁
３１    保持用突部
３２    上部保持溝
３７    金具
３８    嵌合片
３９    支持平面
４０    グランドコンタクト
４１    基部
４１ａ  貫通長穴（貫通穴）
４２    押さえアーム
４３    係合凹部
４４  ４５  突部
４６    接触アーム
４７    接触平面
４８    接触凸部
４９    鉤状導通部
５０    シグナルコンタクト
５１    基部
５２    接触アーム
５３    接触平面
５４    接触凸部
５５    係止突部
５６  ５７  突部
５８    貫通円形穴（貫通穴）
５９    鉤状導通部
６０    アクチュエータ（回転式アクチュエータ）
６１    操作部
６２    カム部
６３    被押圧部（被挟持部）
６４    支持軸（被挟持部）
６５    貫通穴
６６    押圧面
６７    カム面
６８    開位置保持面
７０    シェル
７１    上面部
７２    接続片
７３    後部壁
７４    接続部
８０    実装基板
８５    ＦＰＣ（接続対象物）
９０    コネクタ
９１    コンタクト
９２    貫通円形穴（貫通穴）
９３    底部保持溝
１００  コネクタ
１１０  アクチュエータ（スライド式アクチュエータ）
１１１  押圧部
２００  コネクタ
【図１】
2008226524.tif 000003
【図２】
2008226524.tif 000004
【図３】
2008226524.tif 000005
【図４】
2008226524.tif 000006
【図５】
2008226524.tif 000007
【図６】
2008226524.tif 000008
【図７】
2008226524.tif 000009
【図８】
2008226524.tif 000010
【図９】
2008226524.tif 000011
【図１０】
2008226524.tif 000012
【図１１】
2008226524.tif 000013
【図１２】
2008226524.tif 000014
【図１３】
2008226524.tif 000015
【図１４】
2008226524.tif 000016
【図１５】
2008226524.tif 000017
【図１６】
2008226524.tif 000018
【図１７】
2008226524.tif 000019
【図１８】
2008226524.tif 000020
【図１９】
2008226524.tif 000021
【図２０】
2008226524.tif 000022
【図２１】
2008226524.tif 000023
【図２２】
2008226524.tif 000024
【図２３】
2008226524.tif 000025